(57)【要約】  通気性を有するソール構造は、靴底を形成する下部面（２）と、フットウェアアイテムの内部に面する上面（３）と、を有し、上記通気性を有するソール構造（１）は、上記上面（３）に作られている吸気部（５）から、上記下面（２）に作られている排気部（６）まで延在している少なくとも１つの通気ダクト（４）を有する。上記通気ダクト（４）は、上記ソール構造（１）の延長部の縦方向と実質上平行している少なくとも１つのメインストレッチ（７）を有し、上記排気部（６）と連絡している第１の端部（８）および第２の端部（９）を有する。弾性的に変形可能なドーム型部（１０）は、上面（３）に作られており、その内部には、上記メインストレッチ（７）にある上記第１の端部（８）に接続されている空気室（１１）を形成する。上記ドーム型部は、上記通気ダクト（４）の吸気部（５）を形成する開口部もまた有する。【選択図】  図３
2010516321.tif 000002
【特許請求の範囲】
【請求項１】
通気性を有するソール構造であって、
前記ソールが適用されているフットアイテムの靴底を実際は形成する下面（２）と、
前記ソールが適用されている前記フットウェアアイテムの内部に実際は面することができる上面（３）と、を有し、
前記通気性を有するソール構造（１）は、前記上面（３）に作られている吸気部（５）から、前記下面（２）に作られている排気部（６）まで連通している少なくとも１つの通気ダクト（４）を有し、
前記ソール構造は、前記通気性を有するソール構造（１）の延長部の縦方向と実質上平行している平面に延在し、前記排気部（６）と連通している第１の端部（８）および第２の端部（９）を有する少なくとも１つのメインストレッチ（７）を具備することを特徴とし、
前記ソール構造は、弾性的に変形可能な材料で形成され、前記上面（３）から突出する少なくとも１つのドーム型部（１０）もまた有し、前記ドーム型部（１０）は、その内部に、前記ダクトの前記メインストレッチ（７）にある前記第１の端部（８）と連通している空気室（１１）を形成し、前記空気室（１１）と前記上面（３）の外部とを連通させ、前記通気ダクト（４）の吸気部（５）を形成する開口部を有することも特徴とする、
通気性を有するソール構造。
【請求項２】
前記通気ダクト（４）の前記メインストレッチ（７）は、前記通気性を有するソール構造（１）の厚さで延在することを特徴とする請求項１に記載の通気性を有するソール構造。
【請求項３】
前記通気性を有するソール構造（１）は、その第１の端部（８）が前記通気ダクト（４）に対して共有のストレッチを構成する前記ドーム型部（１０）に接続されているメインストレッチ（７）を各々が有する複数の通気ダクト（４）を具備することを特徴とする請求項１または２に記載の通気性を有するソール構造。
【請求項４】
前記通気性を有するソール構造（１）は、
複数の通気ダクト（４）と、複数のドーム型部（１０）とを具備し、各ドーム型部（１０）は、通気ダクト（４）の少なくとも１つのメインストレッチ（７）にある前記第１の端部（８）と連通される空気室（１１）を形成することを特徴とする請求項１ないし３のいずれか1項記載の通気性を有するソール構造。
【請求項５】
各通気ダクト（４）の前記メインストレッチ（７）は、弾性的に変形可能な材料で作られている前記通気性を有するソール構造（１）の一部に備えられていることを特徴とする請求項１ないし４のいずれか1項記載の通気性を有するソール構造。
【請求項６】
前記ドーム型部（１０）の前記空気室（１１）は、該空気室（１１）に接続されている前記通気ダクト（４）の前記メインストレッチ（７）よりも大きい容積を持つことを特徴とする請求項１ないし５のいずれか1項記載の通気性を有するソール構造。
【請求項７】
前記ドーム型部（１０）の前記空気室（１１）は、該空気室（１１）に接続されている前記通気ダクト（４）の前記メインストレッチ（７）全ての容積の和よりも大きい容積を有することを特徴とする請求項３または６に記載の通気性を有するソール構造。
【請求項８】
前記通気ダクト（４）は、前記メインストレッチ（７）にある前記第１および第２の端部（８）,（９）のうちの１つに少なくとも近接する少なくとも１つの狭窄部（１５）を有することを特徴とする請求項１ないし７のいずれか1項記載の通気性を有するソール構造。
【請求項９】
前記メインストレッチ（７）は、前記空気室（１１）に直接接続されていることと、その第１の端部（８）に、共に整列されて前記空気室（１１）の基底上に延在する溝（２７）があることと、を特徴とする請求項１ないし８のいずれか1項記載の通気性を有するソール構造。
【請求項１０】
前記メインストレッチ（７）は、その第２の端部（９）において、拡張されたゾーン（２８）を有することを特徴とする請求項１ないし９のいずれか1項記載の通気性を有するソール構造。
【請求項１１】
前記通気ダクト（４）は、前記排気部（６）を形成し、前記メインストレッチ（７）の前記第２の端部（９）に接続されている少なくとも１つの第２のストレッチ（１２）を有することを特徴とする請求項１ないし１０のいずれか1項記載の通気性を有するソール構造。
【請求項１２】
前記第２のストレッチ（１２）は、前記メインストレッチ（７）に対して垂直に延在することを特徴とする請求項１１に記載の通気性を有するソール構造。
【請求項１３】
前記第２のストレッチ（１２）は、４ｍｍ２未満の断面を有することを特徴とする請求項１１または１２に記載の通気性を有するソール構造。
【請求項１４】
前記通気性を有するソール構造（１）は、少なくとも前記通気ダクト（４）において、少なくとも第１の下部本体（１６）と、前記第１の本体（１６）の上部に位置している第２の上部本体（１７）と、から成り、上記本体は、プラスチック材料から作られ、互いに一体化していることを特徴とする請求項１ないし１３のいずれか1項記載の通気性を有するソール構造。
【請求項１５】
前記メインストレッチ（７）および前記空気室（１１）は、その底部を前記第１の本体（１６）によって、およびその上部を前記第２の本体（１７）によって区分されることを特徴とする請求項１４に記載の通気性を有するソール構造。
【請求項１６】
前記排気部（６）は、前記第１の本体（１６）に作られていることを特徴とする請求項１４または１５に記載の通気性を有するソール構造。
【請求項１７】
前記通気性を有するソール構造（１）は、少なくとも前記通気ダクト（４）および前記ドーム型部（１０）において、前記第１の本体（１６）の下部に固定され、実際は前記フットウェアアイテムの靴底の少なくとも一部を形成するために設計されている、少なくとも第３の本体（１９）もまた具備することを特徴とする請求項１４ないし１６のいずれか1項に記載の通気性を有するソール構造。
【請求項１８】
前記第１の本体（１６）は、各排気部(６)において、下方へ延在し、前記第３の本体（１９）に挿入され、前記靴底の凹型部を形成する少なくとも１つの突起（２１）を有することを特徴とする請求項１６または１７に記載の通気性を有するソール構造。
【請求項１９】
前記下面（２）は、少なくとも前記排気部（６）において凹型表面（２２）を有することを特徴とする請求項１ないし１８のいずれか1項に記載の通気性を有するソール構造。
【請求項２０】
前記下面（２）は、前記凹型表面（２２）から延在する溝（２３）もまた有することを特徴とする請求項１９に記載の通気性を有するソール構造。
【請求項２１】
前記通気ダクト（４）の前記メインストレッチ（７）は、２ｍｍ２未満の断面を有することを特徴とする請求項１ないし２０のいずれか1項に記載の通気性を有するソール構造。
【請求項２２】
前記通気ダクト（４）の前記メインストレッチ（７）は、１ｍｍ２未満または１ｍｍ２に等しい断面を有することを特徴とする請求項２１に記載の通気性を有するソール構造。
【請求項２３】
前記通気性を有するソール構造（１）は、少なくとも１つのメインの本体（２９）と、前記メインの本体（２９）を通して挿入されている１つ以上の嵌装部位（２４）と、を具備し、各嵌装部位（２４）は少なくとも１つの通気ダクト（４）を形成することを特徴とする請求項１ないし２２のいずれか1項に記載の通気性を有するソール構造。
【請求項２４】
前記嵌装部位（２４）は、ＴＰＵ、ＰＶＣまたはＴＲのプラスチック材料で作られていることを特徴とする請求項２３に記載の通気性を有するソール構造。
【請求項２５】
少なくとも１つの嵌装部位（２４）は、足の裏が置かれるゾーンに対応する前記ソール構造（１）のゾーンに位置していることを特徴とする請求項２３または２４に記載の通気性を有するソール構造。
【請求項２６】
前記通気性を有するソール構造（１）は、少なくとも前記通気風ダクト（４）において、ＴＰＵ、ＰＶＣまたはＴＲの防水性プラスチック材料で作られていることを特徴とする請求項１ないし２５のいずれか1項に記載の通気性を有するソール構造。
【請求項２７】
請求項１ないし２６のいずれか1項に記載の通気性を有するソール構造に従って作られたソール構造（１）を具備することを特徴とする通気性を有するフットウェアアイテム。
【請求項２８】
前記通気性を有するフットウェアアイテムは、前記ソール構造（１）の前記上面（３）上方に位置している通気性を有するインソールおよび／またはアーチ型サポートもまた具備することを特徴とする請求項２７に記載の通気性を有するフットウェアアイテム。
【発明の詳細な説明】
【技術分野】
【０００１】
本発明は、通気性が活かされた履物商品（フットウェアアイテム）を製造することができるように構成されたソール構造に関連する。
【背景技術】
【０００２】
着用者の足が呼吸できるようなフットウェアを製造するという問題は、３０年近く関心事となっている。
【０００３】
特に、通気性を有するフットウェアを得るためのほとんどの技術的研究が特にソール構造の製造に集中した。
【０００４】
それゆえ最初は、ソールが、その厚さにもかかわらずフットウェアアイテムの内部から外部へ直接延びる空気通路を作り出すような穴を持つフットウェアが発明された。
【０００５】
しかしながら、この最初の従来技術は、空気だけでなく水も通過させてしまう著しい欠点を持っていたので、このフットウェアアイテムは悪天候では実際には使用に適していなかった。
【発明の概要】
【０００６】
この欠点を克服するために、ソールを通過して作られている穴が、水蒸気は通過することができる防水膜によって遮られているフットウェアが製造された。
【０００７】
対照的に代替の実施形態は、内部チャネリング、ポンプエレメントなどを持つ、空気入口が側面に沿ってソールに作られているフットウェアを製造した。
【０００８】
この状況において、本発明に基づく技術的目的は、既存のものに代わる、通気性を有するソール構造を提供することである。
【０００９】
特に、本発明の技術的目的は、通気性を有するソール構造を提供することである。
【００１０】
本発明の他の技術的目的は、通常の状態で使用する際、フットウェアアイテムに水が浸入するのを実質上防ぐ、通気性を有するソール構造を提供することである。
【００１１】
開示された技術的目的および提示した目的は、本明細書の請求項で述べられている通気性を有するソール構造によって実質上成し遂げられる。
【００１２】
本発明のさらなる特長および利点は、添付図面に図示されている、いくつかの好適な通気性を有するソール構造の非制限の実施形態を参照して、以下の詳細な記述においてより明らかにされる。
【図面の簡単な説明】
【００１３】
【図１】本発明による通気性を有するソール構造の底面図である。
【図２】図１にあるソール構造の、拡大された詳細である。
【図３】図２に示されている詳細にあるＩＩＩ−ＩＩＩ線の模式的な断面図である。
【図４】図３にある詳細ＩＶの拡大図である。
【図５】図３にある詳細Ｖの拡大図である。
【図６】図３に示されている通気性を有するソール構造の詳細にある部品を示す図である。
【図７】図３に示されている通気性を有するソール構造の詳細にある部品を示す図である。
【図８】図３に示されている通気性を有するソール構造の詳細にある部品を示す図である。
【図９】本発明による通気性を有するソール構造の、図２にある詳細の上面図である。
【図１０】図２乃至図９の詳細にある代替実施形態の上部部を切り取った、上面図である。
【発明を実施するための形態】
【００１４】
添付図面を参照して、参照符号１は、本発明に従って作られた通気性を有するソール構造全体を示す。
【００１５】
提示する通気性を有するソール構造１は、既知の方法において、ソールが適用されているフットウェアアイテムの靴底を形成するように実際に設計されている底面２と、実際のソールが用いられるフットウェアアイテムの内部に面している上面３と、を有する。
【００１６】
完成したフットウェアにおいて、上面３は、着用者の足が呼吸できるようにするインソールおよび／またはアーチ型サポート（図示されていない）によって通常カバーされている。
【００１７】
ソール構造１は、上面３に設けられている吸気部５から、底面２に設けられている通気口部６まで延伸する少なくとも１つの通気ダクト４を有する。
【００１８】
ダクトは、通気性を有するソール構造１のソール部（ヒールより先端）の縦方向と実質上平行している平面に延在している、少なくとも１つのメインストレッチ７を有する（平面は、実際問題として、事実上地面に水平および平行である）。通気ダクト４のメインストレッチ７は、第１の端部８から、排気部６と連通している第２の端部９まで延在している。さらに、通気ダクト４のメインストレッチ７は、通気性を有するソール構造１の厚さで延在している(extend in the thickness)のが好ましい。
【００１９】
ソール構造１は、弾性的に変形可能な材料で作られ、上面３から隆起して延在する少なくとも１つのドーム型部１０もまた有する。ドーム型部１０は、その内部に、通気ダクト４のメインストレッチ７にある第１の端部８と連通している空気室１１を形成する。
【００２０】
ドーム型部１０は、内部の空気室１１を上面３の外部と連通させる開口部もまた有する。ドーム型部１０の上部に作られている上記開口部には、通気ダクト４の吸気部５を形成するのが好ましい。
【００２１】
図示されている実施形態においては、通気ダクト４は、排気部６を形成してメインストレッチ７に対して横方向／垂直に延在している第２のストレッチ１２と、第２の端部９が第２のストレッチ１２に接続しているメインストレッチ７と、ドーム型部１０と、から成る。
【００２２】
概して、メインストレッチ７は、好ましくは２ｍｍ２未満（より好ましくは１ｍｍ２未満）の断面を持ち、一方で、第２のストレッチ１２は、４ｍｍ２未満の断面である、より広い断面を持つ。
【００２３】
しかしながら、本発明の好適な実施形態において、ソール構造１は、様々な形状を持つ複数の通気ダクト４を有する。特に、共有のストレッチとして、ドーム型部１０によって形成されている空気室１１を有する複数の通気ダクト４がある。例えば、図９および図１０に示されているように、図示されている実施形態には、２つのドーム型部１０と、４つの異なる通気ダクト４によって共有され通気ダクト４の４つのメインストレッチ７が集結するメインドーム型部１３と、２つの異なる通気ダクト４によって共有されることによって通気ダクト４の２つのメインストレッチ７が集結する、（図３乃至図８にも示されている）第２のドーム型部１４と、がある。
【００２４】
従って、概して複数の通気ダクト４と同様に、複数のドーム型部１０もまたあり、各々は、通気ダクト４にある少なくとも１つのメインストレッチ７の第１の端部８と連通している空気室１１を形成する。
【００２５】
好適な実施形態において、少なくとも各通気ダクト４にあるメインストレッチ７は、防水で弾性的に変形可能な材料で作られている、通気性を有するソール構造１の一部に備えられる。この方法において、使用者が足を地面に置くと、それ自体が閉塞するメインストレッチ７の弾性圧縮をもたらし、水がフットウェアアイテムに浸透するのを防ぐ。
【００２６】
各ドーム型部１０の空気室１１は、それに接続されている通気ダクト４のメインストレッチ７又は全てのメインストレッチ７よりも大きい容積を持つのが好ましい。この方法において、使用者が足を地面に置くと、ドーム型部１０を圧縮し、吸気部５を閉じることによって、空気室１１に含まれている空気をそれに接続されているメインストレッチ７を通して排気し、同時に、フットウェアアイテムにある両方の空気を入れ換え、それらに浸透しているあらゆる水を空にする（より詳細な記述は以下で述べられている）。
【００２７】
通気ダクト４は、メインストレッチ７にある第１および第２の端部８，９のうちの少なくとも１つに近接する少なくとも１つの狭窄部１５を有するのが好ましい。
【００２８】
図４乃至図５は、ほんの一例として、メインストレッチ７の両端部にある２つの狭窄部１５の事例を示している。
【００２９】
図３に示されているように、好適な実施形態において、少なくとも通気ダクト４において、ソール構造１は、少なくとも第１の下部本体１６と、第１の本体１６の上部に位置してそれと一体化している第２の上部本体１７と、から成る。特に、第１および第２の本体１６，１７は、プラスチック材料から作られているのが好ましく、溶着または接着によって互いに一体化されている。
【００３０】
第１および第２の本体１６，１７は、少なくともメインストレッチ７および空気室１１が、その底部を第１の本体１６によって、およびその上部を第２の本体１７によって境界を定められるように形作られている。特に、第１の本体１６はドーム型部１０のドームを形成し、一方で第２の本体１７はその下部基底ゾーン１８を形成する。
【００３１】
通気ダクト４の排気部６および呼応する第２のストレッチ１２は、第１の本体１６において完全に作られている。
【００３２】
しかしながら、製造的な理由として、好適な実施形態において、少なくとも通気ダクト４およびドーム型部１０において、ソール構造１は、第１の本体１６の下部に固定され実際問題としてフットウェアアイテムの靴底の少なくとも一部を形成するように設計されている少なくとも第３の本体１９もまた有する。第３の本体１９は、第２の本体１７にも固定されている。
【００３３】
第１、第２および第３の本体１６，１７および１９は、それぞれ模式的に、分解された形で図６乃至図８に図示されている。多くの場合裏面で見られるものを示さないが、本体１６，１７，１９各々の特長をより一層よく示すために、図３乃至図８は、断面において正確に見られるものを模式的に図示しているということに留意されたい。
【００３４】
図６は、図３および図１０に示すように、上部面３が、弾性的に変形可能な材料で作られ、高さを持ち、上部面３に関して、近くに置かれているいずれのドーム型部１０の高さに実質上適合する、複数の支持突起２０を有するということも示している。
【００３５】
さらに、各排気部６において、第１の本体１６は、下方へ延在して第３の本体１９に挿入される少なくとも１つの突起２１を有する。前記突起２１は、下部面２に直接面しているが、残りの靴底と比べてわずかに凹所を設けられるように置かれるのが好ましい（図４）。概して、下部面２は、少なくとも排気部においては、通気ダクト４と外部との間における空気の入れ換えを容易にするために凹型表面２２を持つのが好ましい。同様の理由で、下部面２は、排気部６における凹型表面２２からソール１の縁の方向へ、または、少なくとも、（添付図面に図示されているように）通気ダクト４が作られている嵌装部位２４の縁の方向へ延在するグルーブ２３もまた有する。
【００３６】
図１０は、第２の本体１７の代替実施形態の上面図であり、下部部分１８と、メインストレッチ７の２５と、ドーム型部１０と、同様に、第２の本体１７を第１の本体１６に接合するゾーン２６と、を示している。
【００３７】
この実施形態において、上述したものと同じように、メインストレッチ７は、空気室１１と、第２のストレッチ１２と、の両方に直接接続されている。しかしながら、いくつか違いがある。第一に、第１の端部８において、メインストレッチ７は、空気室１１の基底上のグルーブの形をとって延在している。第二に、第２の端部９において、メインストレッチ７は、実際問題として、所定の距離をあけて、メインストレッチ７の第２の端部９を囲むリング状の接合ゾーン２６を備えられている、拡張されたゾーン２８を有する。
【００３８】
しかしながら、要求に従って、異なる実施形態に関連して上述した特長は、検討された最も適切な方法で組み合わされるということに留意されたい。
【００３９】
本発明の好適な実施形態において、通気性を有するソール構造１は、少なくとも１つのメインの本体２９と、メインの本体２９に作られている通り穴３０に挿入される１つ以上の嵌装部位２４と、を有する。図１における実施形態において、例えば、ソール構造１は、従来のソールの形を持つメインの本体２９を有し、メインの本体２９のフロント部には、通り穴３０がパイプ／ピストルの形で作られており、さらにメインの本体２９には穴に適合するように形作られた嵌装部位２４が挿入されている。
【００４０】
その上、嵌装部位２４は、水の浸入を防ぐために水密にメインの本体２９に固定されている。これは、例えば、メインの本体２９を嵌装部位２４に直接成形することによって成し遂げられる。
【００４１】
本発明に従って、（関連するドーム型部１０と同様に）通気ダクト４は、完全に嵌装部位２４内に作られている。
【００４２】
さらに、本発明に従って、通気ダクト４（好ましくは、もしあれば全嵌装部位２４）があるソール構造１の少なくとも一部は、それ自体が防水であるＴＰＵ、ＰＶＣまたはＴＲのようなプラスチック材料で作られている。
【００４３】
開示されているソール構造１の作用は、上記の構造的記述に直ちに関連する。
【００４４】
特に、使用者が足を地面に置くと、ドーム型部１０を圧縮し、通気ダクト４の吸気部５を実質上閉じたままにする。それゆえ、空気室１１に含まれている空気は、通気ダクト４のメインストレッチ７を通って、外部の方へ送り込まれる。空気室１１を適切な大きさに作ることによって、その圧縮の後、移動された空気の容積がメインストレッチ７に含まれている空気を完全に入れ換えるような容積となる。排気部６を靴底にある隆起したゾーンに置くことは、空気の排除を容易にする。
【００４５】
足が再度持ち上げられると、吸気部５は解放されるので、ドーム型部１０が、変形されていない状態に実質上戻ることによって、空気はフットウェアアイテム内すなわち空気室１１内に吸い込まれる。
【００４６】
それゆえ、各ステップを伴うこの一連の流れの繰り返しによって、フットウェアアイテムの内部の空気の連続的な入れ換えが起こる。
【００４７】
フットウェアアイテムが水のある環境で使用されるとき、開示されているソール構造１は、いずれの明白な物的障壁がないという事実にもかかわらず、実質上水が浸透するのを防ぐ。各ステップが行われると、通気ダクト４を通って送り込まれる空気の推力によって、第２のストレッチ１２またはメインストレッチ７に浸透していたあらゆる水が排出される。さらに、通気ダクト４は弾性的に変形可能な材料で作られているという事実のため、一度使用者が足を下に降ろすと、空気を排出して、メインストレッチ７もまた圧縮される。この方法において、事実上閉じられるので、一方で内部のあらゆる残りの水は排出され、もう一方で外部からの水の再浸入は防がれる。
【００４８】
このことに関して、出願人は、本発明に従って作られているソール構造１の、機能的な水密に対して数回の試験を実行したということに留意されたい。特に、試験は、図１に図示されているタイプの、全体がポリマープラスチック材料で作られており、２つのドーム型部１０に集結している６つの通気ダクト４を持つソール構造で実行された。
【００４９】
各ダクトは、それ自体が水の通過を防ぐように設計されている（通気性はあるが防水膜のような）内部バリアを有さず、第２のストレッチ１２において４ｍｍ２未満およびメインストレッチ７において２ｍｍ２未満の断面を持っていた。
【００５０】
実行された試験は、深さ１１ｍｍの水中における歩行をシミュレーションし、４０００歩の後、（４５０から４５３ｇの）フットウェアアイテム全体の増量が、ソールの外部にあるギャップ内のみの水の浸透による増量に対してどのようにして完全に一致したかを明らかにした。フットウェアアイテムの内部は、完全に乾燥を保っていた。
【００５１】
本発明は重要な利点をもたらす。本発明のおかげで、優れた通気性の保証を可能にすると同様に、通常の状態で使用する際、水に対して最適な耐性を可能にするソール構造を提供することが可能である。
【００５２】
さらに、穴に防水バリアがないという事実によって、開示されているソール構造は、防水バリアがあることが空気の移動に対する著しい抗力を生み出す従来技術よりも優れた空気の入れ換えを保証する。
【００５３】
本発明は製造するのが比較的容易であり、発明の実行に関連するコストさえもそんなに高くない、ということにも留意されたい。
【００５４】
説明されている発明は、発明のコンセプトの範囲から逸脱することなくいくつかの方法において変更および適合される。
【００５５】
本文の全詳細は、他の技術的に同等の構成要素によって取り替えられ、実際問題として、使用される全ての材料は、様々な構成要素の形状および寸法と同様に、必要に応じてあらゆる材料が可能である。
【図１】
2010516321.tif 000003
【図２】
2010516321.tif 000004
【図３】
2010516321.tif 000005
【図４】
2010516321.tif 000006
【図５】
2010516321.tif 000007
【図６】
2010516321.tif 000008
【図７】
2010516321.tif 000009
【図８】
2010516321.tif 000010
【図９】
2010516321.tif 000011
【図１０】
2010516321.tif 000012
【国際調査報告】
2010516321.tif 000013
2010516321.tif 000014
2010516321.tif 000015